(57)【要約】【課題】飲料缶を利用してスマートフォンや携帯電話等の携帯電子機器に外部スピーカ出力等の機能を付加する。【解決手段】天板部と周壁部を備え、商品包装容器の上端部に被せるように商品包装容器に装着することが可能な携帯電子機器用スタンドで、商品包装容器に係合して当該スタンドを商品包装容器に装着可能とする容器係合部と、周壁部によって囲まれた物品収容部と、携帯電子機器を天板部に支持する機器支持部とを有し、物品収容部に、携帯電子機器に関連する機能を携帯電子機器に付与する機能装置（例えば外部スピーカ）を備えた。【選択図】図３
2014209704.tif 000002
【特許請求の範囲】
【請求項１】
天板部と、当該天板部から立ち下がる周壁部とを備え、商品包装容器の上端部に被せるように当該商品包装容器に装着することが可能な携帯電子機器用スタンドであって、
前記周壁部の下端部に形成され、前記商品包装容器の上端部に係合して前記スタンドを前記商品包装容器に装着可能とする容器係合部と、
前記周壁部によって囲まれ、前記商品包装容器の天面と前記天板部との間に物品を収容することを可能とする物品収容部と、
前記天板部に設けられ、携帯電子機器と係合して当該携帯電子機器を前記天板部に支持させることを可能とする機器支持部と、
を有し、
前記物品収容部に、前記携帯電子機器に関連する関連機能を前記携帯電子機器に対して付与する機能装置を備えた
ことを特徴とする携帯電子機器用スタンド。
【請求項２】
前記携帯電子機器と前記機能装置とを接続するコネクタを備え、
当該コネクタは、前記携帯電子機器に接続するプラグを含み、
前記携帯電子機器を前記機器支持部に支持させたときに前記携帯電子機器に接続されるように前記プラグを備えた
請求項１に記載の携帯電子機器用スタンド。
【請求項３】
商品を収容する商品包装容器と、
当該商品包装容器の上端部に被せるように当該商品包装容器に装着することが可能なキャップ部と、
携帯電子機器に関連する関連機能を当該携帯電子機器に対して付与する機能装置と
を備えた携帯電子機器用スタンドであって、
前記キャップ部は、
天板部と、
当該天板部から立ち下がる周壁部と、
前記周壁部の下端部に形成され、前記商品包装容器の上端部に係合して前記キャップ部を前記商品包装容器に装着可能とする容器係合部と、
前記天板部に設けられ、前記携帯電子機器と係合して当該携帯電子機器を前記天板部に支持させることを可能とする機器支持部と
を有する
ことを特徴とする携帯電子機器用スタンド。
【請求項４】
前記携帯電子機器は、オーディオ信号を出力可能であり、
前記機能装置は、
１以上のスピーカと、
前記オーディオ信号を前記携帯電子機器から受け、当該オーディオ信号を前記スピーカに出力するオーディオ回路と
を含む
請求項１から３のいずれか一項に記載の携帯電子機器用スタンド。
【請求項５】
前記スピーカは、振動スピーカである
請求項４に記載の携帯電子機器用スタンド。
【請求項６】
前記機能装置は、
電池を装填可能な電池収納部と、
前記電池収納部に収納した電池の電力を前記携帯電子機器および当該機能装置に含まれる装置部分のいずれか一方または双方に供給する給電回路と
をさらに含む
請求項１から５のいずれか一項に記載の携帯電子機器用スタンド。
【請求項７】
前記電池収納部に、１以上の乾電池を備えた
請求項６に記載の携帯電子機器用スタンド。
【請求項８】
前記機能装置は、前記携帯電子機器に無線通信機能を付与する無線通信モジュールを含む
請求項１から３のいずれか一項に記載の携帯電子機器用スタンド。
【請求項９】
前記無線通信機能は、Ｗｉｆｉ通信機能であり、
前記無線通信モジュールは、Ｗｉｆｉ通信モジュールである
請求項８に記載の携帯電子機器用スタンド。
【請求項１０】
前記無線通信機能は、衛星通信機能であり、
前記無線通信モジュールは、衛星通信モジュールである
請求項８に記載の携帯電子機器用スタンド。
【請求項１１】
前記機能装置は、前記携帯電子機器にＩＣカードに対する情報の読み出しおよび書き込みのいずれか一方または双方の機能を付与するＩＣカードリーダライタを含む
請求項１から３のいずれか一項に記載の携帯電子機器用スタンド。
【請求項１２】
前記機能装置は、前記携帯電子機器にメモリカードに対する情報の読み出しおよび書き込みのいずれか一方または双方の機能を付与するメモリカードリーダライタを含む
請求項１から３のいずれか一項に記載の携帯電子機器用スタンド。
【請求項１３】
前記機能装置は、前記携帯電子機器に磁気カードに対する情報の読み出しおよび書き込みのいずれか一方または双方の機能を付与する磁気カードリーダライタを含む
請求項１から３のいずれか一項に記載の携帯電子機器用スタンド。
【発明の詳細な説明】
【技術分野】
【０００１】
本発明は、携帯電子機器用スタンドに係り、特に、飲料缶などの商品包装容器に装着してスマートフォンのような携帯電子機器を支持すると共にこの携帯電子機器に例えば外付スピーカのような機能を付加するキャップ型のスタンド器具に関する。
【背景技術】
【０００２】
近年、携帯電話機やスマートフォン、タブレット端末、ゲーム機などの各種の携帯電子機器が提供されており、外出先で通信や音楽鑑賞、映像鑑賞などを楽しむことが可能となった。
【０００３】
また、上記コンビニエンスストアやキヨスクなどの店舗、あるいは自動販売機では、缶コーヒーや缶ジュースのような缶容器に納められた各種の飲料が多数販売されており、外出先で飲料を楽しむことが可能となっている。
【０００４】
さらに、携帯電子機器（携帯電話機）に関連した器具を開示するものとして下記特許文献がある。
【先行技術文献】
【特許文献】
【０００５】
【特許文献１】特開２００８−３０６２７６号公報
【特許文献２】特開２０１２−１７５２５５号公報
【発明の概要】
【発明が解決しようとする課題】
【０００６】
ところで、飲料などの包装容器として使用された金属缶は、中身を飲み終わった後には、缶として再利用されることはなく、単に廃棄されるか或いは回収されて金属資源としてリサイクルされるに過ぎない。
【０００７】
また飲料缶だけでなく、様々な商品、例えばＴシャツ・下着などの衣類、パスタ・菓子などの食品、ゴルフボール・テニスボール・バドミントンシャトル等のスポーツ用具類、玩具、化粧品などを包装する容器（これら商品を入れる筒状のケース）が需要者に商品を提供するときに使用されることがあるが、このような包装容器についても飲料缶と同様の問題（商品を取り出した後は廃棄されるだけ）がある。
【０００８】
一方、需要を喚起し当該商品の販売促進を図るため、飲料などの様々な商品について購入者に景品やサービスを提供するキャンペーンが開催されることがあるが、商品包装に景品として携帯電子機器を立てたり様々な機能を付加できるスタンド器具を付ければ同様に当該商品の販売を促進することが出来ると考えられる。
【０００９】
したがって、本発明の目的は、飲料缶などの商品包装容器を再利用することにあり、また、商品の販売促進を可能とする点にある。
【課題を解決するための手段】
【００１０】
前記課題を解決し目的を達成するため、本発明に係る第一の携帯電子機器用スタンド（以下単に「スタンド」と言うことがある）は、天板部と、当該天板部から立ち下がる周壁部とを備え、商品包装容器の上端部に被せるように当該商品包装容器に装着することが可能な携帯電子機器用スタンドであって、前記周壁部の下端部に形成され、商品包装容器の上端部に係合して当該スタンドを商品包装容器に装着可能とする容器係合部と、前記周壁部によって囲まれ、商品包装容器の天面と前記天板部との間に物品を収容することを可能とする物品収容部と、前記天板部に設けられ、携帯電子機器と係合して当該携帯電子機器を前記天板部に支持させることを可能とする機器支持部とを有し、前記物品収容部に、携帯電子機器に関連する関連機能を携帯電子機器に対して付与する機能装置を備えた。
【００１１】
また、上記スタンドは、携帯電子機器と機能装置とを接続するコネクタをさらに備え、当該コネクタは、携帯電子機器に接続するプラグを含み、携帯電子機器を機器支持部に支持させたときに携帯電子機器に接続されるように当該プラグを備えることがある。また当該コネクタが、携帯電子機器に接続するプラグと、当該プラグと前記機能装置とを接続するケーブルとを含み、前記プラグを引き出すことが出来るように前記天板部に設置しても良い。さらに、前記プラグを引き出すとともに機器支持部に携帯電子機器を支持させたときに、前記プラグとともに引き出されたケーブルを収容可能なケーブル溝を機器支持部に備えても良い。
【００１２】
なお、本発明において、携帯電子機器と機能装置との間の接続は、上記のように有線で（伝送線路を通じて）行うことが出来るが、無線（例えばブルートゥース（Bluetooth）（登録商標）等）により行うようにすることも可能である。
【００１３】
本発明に係る第二の携帯電子機器用スタンドは、商品を収容する商品包装容器と、当該商品包装容器の上端部に被せるように当該商品包装容器に装着することが可能なキャップ部と、携帯電子機器に関連する関連機能を当該携帯電子機器に対して付与する機能装置とを備えた携帯電子機器用スタンドであって、前記キャップ部は、天板部と、当該天板部から立ち下がる周壁部と、当該周壁部の下端部に形成され、商品包装容器の上端部に係合して前記キャップ部を商品包装容器に装着可能とする容器係合部と、前記天板部に設けられ、携帯電子機器と係合して当該携帯電子機器を前記天板部に支持させることを可能とする機器支持部とを有する。
【００１４】
本発明の一態様では、前記携帯電子機器がオーディオ信号を出力可能であり、前記機能装置は、１以上のスピーカと、前記オーディオ信号を携帯電子機器から受け、当該オーディオ信号を前記スピーカに出力するオーディオ回路とを含む。前記スピーカは、例えば振動スピーカである。
【００１５】
また、本発明の別の一態様では、前記機能装置が、電池を装填可能な電池収納部と、この電池収納部に収納した電池の電力を携帯電子機器および当該機能装置に含まれる装置部分（例えば前記オーディオ回路、或いは後に述べる無線通信モジュールやリーダ類）のいずれか一方または双方に供給する給電回路とをさらに含む。なお、前記電池収納部には、１以上の電池（例えば乾電池、ボタン型電池、リチウム電池など）を備えて提供することがある。
【００１６】
さらに本発明の別の一態様では、前記機能装置が、携帯電子機器に無線通信機能を付与する無線通信モジュールを含む。この無線通信機能は、例えばＷｉｆｉ通信機能であり、当該無線通信モジュールはＷｉｆｉ通信モジュールの場合がある。また、上記無線通信機能が衛星通信機能であり、上記無線通信モジュールが衛星通信モジュールのことがある。この場合、当該衛星通信モジュールと電気的に接続された衛星通信用アンテナを備えることがある。また、当該衛星通信モジュールと電気的に接続され且つ衛星通信用アンテナを取り付けることが可能なアンテナ取付部を備える場合がある。さらに、前記機器支持部が、携帯電子機器の前面側に当接する前支持部と、携帯電子機器の後面側に当接する後支持部とを有し、当該前支持部と後支持部により挟むようにして携帯電子機器を支持させることが可能であり、前記アンテナ取付部に設置した衛星通信用アンテナが前記後支持部として機能する、すなわち、携帯電子機器の後面側に当接して当該携帯電子機器を支持することがある。
【００１７】
さらに本発明の別の一態様では、前記機能装置が、携帯電子機器にＩＣカードに対する情報の読み出しおよび書き込みのいずれか一方または双方の機能を付与するＩＣカードリーダライタを含む。なお、本出願では単に「リーダ」（リーダライタと言わずに）と言う場合があるが、当該リーダは、読み取りのみが可能なリーダだけを指すものではなく、読み取りと書き込みの両方が可能なリーダライタをも含む意味で使用している。
【００１８】
また本発明の別の一態様では、前記機能装置が、携帯電子機器にメモリカードに対する情報の読み出しおよび書き込みのいずれか一方または双方の機能を付与するメモリカードリーダライタを含む。さらに本発明の別の一態様では、前記機能装置が、携帯電子機器に磁気カードに対する情報の読み出しおよび書き込みのいずれか一方または双方の機能を付与する磁気カードリーダライタを含む。
【００１９】
さらに本発明の別の一態様では、前記機能装置が、携帯電子機器に認証を付与する認証装置（例えば認証データを格納したＩＣタグや記憶媒体等）である。この態様では、例えば、携帯電子機器をスタンド（前記プラグを通じて認証装置）に接続すると認証データが当該携帯電子機器に伝送され、この認証データを使用して（当該携帯電子機器から所定のサイトに認証データを送信することにより）認証を行った後、当該携帯電子機器へ通信ネットワーク又は通信回線（例えばインターネット）を介して映像や音声のストリーミング配信を行ったり、画像やゲームのダウンロードあるいはオンラインゲームやキャンペーンへの参加などを可能とするようなサービスを提供することが出来る。
【００２０】
また本発明の別の一態様では、前記周壁部の外面から外方へ張り出すように突出し、当該スタンドを商品包装容器に装着せずに単独で携帯電子機器を立てるスタンドとして使用したときに当該スタンドの転倒を防ぐ支持脚を備える。このような支持脚を備えれば、缶に装着せずに例えばスタンドを直接机の上などに置いた場合であっても、携帯電子機器を安定して支えることが可能となり、そのようなスタンドを缶飲料と一緒に提供することが出来る。
【００２１】
同様に、スタンドを商品包装容器に装着せずに単独で携帯電子機器を立てるスタンドとして使用したときに当該スタンドの転倒を防ぐことが出来るように前記周壁部の外面から外方へ張り出すように突出する支持脚を取り付け可能な支持脚取付部を備えておいても良い。この場合、支持脚は当該スタンドと別に提供しても良いし、スタンド内（物品収容部内）に収容してスタンドと一緒に提供するようにしても良い。
【００２２】
また本発明では、前記機器支持部が、天板部に形成した溝（挟持溝）を含むことがあり、このような構造によれば、当該挟持溝に携帯電子機器を挟み込んで支持させることが可能となる。
【００２３】
一方、前記機器支持部が、携帯電子機器の前面側に当接する前支持部と、携帯電子機器の後面側に当接する後支持部とを備えても良く、このような構造によれば、上記挟持溝と同様にこれら前支持部と後支持部とで挟むようにして携帯電子機器を天板部に支持させることが出来る。
【００２４】
また、当該前支持部と後支持部のうちのいずれか一方または双方を、携帯電子機器の厚さ方向である前後方向に設置位置を変更可能に構成しても良い。このような態様によれば、様々な厚さの携帯電子機器に柔軟に対応すること、すなわち、様々な厚さの携帯電子機器を天板部に支持させることが出来る。
【００２５】
さらに、前支持部や後支持部（特に後支持部）を例えば様々な人物・キャラクタや動物、著名な建築物、自然物などを模ったものとしてこれが携帯電子機器を支えているようにすれば、当該スタンドや缶飲料の興趣・魅力を増すことが出来る。
【００２６】
携帯電子機器としては、これらに限定されるわけではないが、例えば、携帯電話機、スマートフォン、タブレット端末、ゲーム機などが挙げられる。
【００２７】
また、上記商品包装容器は、典型的には、コーヒーやジュースなどの飲料缶（缶容器）であるが、本発明に言う「容器」並びに「缶」はその種類・材質・サイズ・用途（内容物）等を特に問わない。後に述べる実施形態では缶コーヒーのような飲料缶を例にとったが、用途（内容物）は、例えばジュース・コーラ・サイダーのような清涼飲料、ビール・チューハイ・ハイボールのようなアルコール飲料、おしるこ・タピオカ・所謂飲むゼリー・飲むヨーグルトのような液状食品類、栄養ドリンクなど様々なものであって良い。また、本発明のスタンドは、缶容器以外の商品包装容器、例えばＴシャツ・下着などの衣類、パスタ・菓子などの食品、茶葉・コーヒー豆・タバコのような嗜好品、ゴルフボール・テニスボール・バドミントンシャトル等のスポーツ用具類、玩具、化粧品など様々な商品を包装する（収容する）ケースについても上記缶容器と同様に適用することが可能である。さらに「容器」のサイズは収容する商品に合わせて各種のものであって良く、材質も、金属（例えばアルミやスチール）、樹脂、ガラス、その他の材質のもので良い。
【００２８】
本発明では、かかる商品包装容器（例えば開封前の飲料缶又は飲み終わった空き缶）に装着するとともに上記携帯電子機器を挟持溝に挟み、商品包装容器を手で持って或いはテーブルなどに立て置くことにより携帯電子機器を使用することが出来る。すなわち、本発明のスタンドによれば、携帯電子機器を立て置くスタンド（三脚）として、あるいは、携帯電子機器を手で持つグリップ（把持具）として商品包装容器を役立たせることが可能となり、このように携帯電子機器を商品包装容器（スタンド）に装着した状態で、音楽鑑賞や映像鑑賞、ゲーム、ＴＶ電話機能、写真撮影、動画撮影などを行うことが出来る。
【発明の効果】
【００２９】
本発明によれば、飲料缶などの商品包装容器を携帯電子機器に利用することができ、また、携帯電子機器に関連機能を付加する装置を商品に添付することで当該商品の販売促進を図ることが出来る。
【００３０】
本発明の他の目的、特徴および利点は、図面に基づいて述べる以下の本発明の実施の形態の説明により明らかにする。なお、各図中、同一の符号は、同一又は相当部分を示す。
【図面の簡単な説明】
【００３１】
【図１】図１は、本発明の第１の実施形態に係る携帯電子機器用スタンドの使用状態を示す斜視図である。
【図２】図２は、前記第１実施形態に係るスタンドの別の使用状態を示す斜視図である。
【図３】図３は、前記第１実施形態に係るスタンドを分解して示す斜視図である。
【図４】図４は、前記第１実施形態に係るスタンドを示す斜視図である。
【図５】図５は、前記第１実施形態に係るスタンドを示す平面図である。
【図６】図６は、前記第１実施形態に係るスタンドの内部構造を示すため、筐体を切り欠いて示す正面図（図５のＸ−Ｘ断面）である。
【図７】図７は、前記第１実施形態に係るスタンドの内部構造を示すため、筐体を切り欠いて示す側面図（図５のＹ−Ｙ断面）である。
【図８】図８は、前記第１実施形態に係るスタンドの内部構造を示すため、筐体を切り欠くとともに分解して示す正面図（図５のＸ−Ｘ断面）である。
【図９】図９は、前記第１実施形態に係るスタンドの内部構造を示すため、筐体を切り欠くとともに分解して示す側面図（図５のＹ−Ｙ断面）である。
【図１０】図１０は、前記図６においてプラグを筐体から引き出した状態を示す正面断面図である。
【図１１】図１１は、前記図７においてプラグを筐体から引き出した状態を示す側面断面図である。
【図１２】図１２は、前記第１実施形態の変形例に係るスタンドを示す平面図である。
【図１３】図１３は、前記図１２に示した変形例に係るスタンドの正面断面図である。
【図１４】図１４は、本発明の第２の実施形態に係るスタンドを分解して示す斜視図である。
【図１５】図１５は、前記第２実施形態に係るスタンドを示す斜視図である。
【図１６】図１６は、前記第２実施形態に係るスタンドを示す分解斜視図である。
【図１７】図１７は、前記第２実施形態に係るスタンド（アンテナの操作）を示す斜視図である。
【図１８】図１８は、前記第２実施形態に係るスタンドを示す平面図である。
【図１９】図１９は、前記第２実施形態に係るスタンドの内部構造を示すため、筐体を切り欠いて示す正面図（図１８のＸ−Ｘ断面）である。
【図２０】図２０は、前記第２実施形態に係るスタンドの内部構造を示すため、筐体を切り欠いて示す側面図（図１８のＹ−Ｙ断面）である。
【図２１】図２１は、前記第２実施形態に係るスタンドの缶係合部（図２１のＳ１部分／缶への装着前）を拡大して示す図である。
【図２２】図２２は、前記第２実施形態に係るスタンドの缶係合部（図２１のＳ１部分／缶への装着後）を拡大して示す図である。
【図２３】図２３は、前記第２実施形態に係るスタンドを示す底面図である。
【図２４】図２４は、前記第２実施形態に係るスタンド（係止フランジ）の変形例を示す底面図である。
【図２５】図２５は、前記第２実施形態に係るスタンド（係止フランジ）の別の変形例を示す底面図である。
【図２６】図２６は、前記第２実施形態に係るスタンド（係止フランジ）の更に別の変形例を示す底面図である。
【図２７】図２７は、前記第２実施形態に係るスタンドの缶係合部の変形例（缶への装着前）を拡大して示す図である。
【図２８】図２８は、前記第２実施形態に係るスタンドの缶係合部の変形例（缶への装着後）を拡大して示す図である。
【図２９】図２９は、前記第２実施形態に係るスタンドの変形例を図２０と同様に示す図である。
【図３０】図３０は、前記第２実施形態に係るスタンドの別の構成例を示す斜視図である。
【図３１】図３１は、前記第２実施形態に係るスタンドの更に別の構成例を示す斜視図である。
【図３２】図３２は、前記第２実施形態に係るスタンドの更に別の構成例を示す斜視図である。
【図３３】図３３は、前記第２実施形態に係るスタンドの更に別の構成例を示す斜視図である。
【図３４】図３４は、前記第２実施形態に係るスタンドの更に別の構成例を示す斜視図である。
【図３５】図３５は、前記第２実施形態に係るスタンドの更に別の構成例を示す斜視図である。
【図３６】図３６は、本発明に係るスタンドの一例を示す斜視図である。
【図３７】図３７は、本発明に係るスタンドの別の一例を示す斜視図である。
【図３８】図３８は、本発明に係るスタンドの更に別の一例を示す斜視図である。
【図３９】図３９は、本発明に係るスタンドの更に別の一例を示す斜視図である。
【図４０】図４０は、本発明に係るスタンドの更に別の一例を示す斜視図である。
【図４１】図４１は、前記図４０に示したスタンドの分解斜視図である。
【図４２】図４２は、本発明に係るスタンドの更に別の一例を示す斜視図である。
【図４３】図４３は、本発明の第３の実施形態に係るスタンドを示す斜視図である。
【図４４】図４４は、前記第３実施形態に係るスタンドを示す平面図である。
【図４５】図４５は、前記第３実施形態に係るスタンドを示す正面図である。
【図４６】図４６は、前記第３実施形態に係るスタンドを示す背面図である。
【図４７】図４７は、前記第３実施形態に係るスタンドを示すブロック図である。
【図４８】図５６は、本発明の第４の実施形態に係るスタンドを示す斜視図である。
【図４９】図４９は、本発明の第５の実施形態に係るスタンドを示す斜視図である。
【図５０】図５０は、前記第５実施形態の変形例を示す斜視図である。
【図５１】図５１は、前記第５実施形態の別の変形例を示す斜視図である。
【図５２】図５２は、前記第５実施形態の更に別の変形例を示す斜視図である。
【図５３】図５３は、前記第５実施形態またはその変形例に係るスタンドに備えるラベルを分解して示す図である。
【図５４】図５４は、前記第５実施形態またはその変形例に係るスタンドに備える別のラベルを示す図である。
【発明を実施するための形態】
【００３２】
〔第１実施形態〕
図１から図１１に示すように、本発明の第１の実施形態に係る携帯電子機器用スタンド１１は、携帯電子機器１の音声出力を行う外付スピーカ（外部スピーカ）機能と、携帯電子機器１に充電を行う充電機能とを備えたもので、飲料缶５の上面部に装着し、飲料缶５にスマートフォンや携帯電話機等の携帯電子機器１を支持させることを可能とするとともに、当該携帯電子機器１に充電を行い、また、スピーカから音声出力を行うことを可能としたものである。
【００３３】
なお、本実施形態では、充電機能を備えるものとしたが、充電機能を備えずに外付スピーカ機能だけを備えるスタンドを構成することも可能である。また「音声」とは、スピーカ出力が可能な音波を意味し、音楽や声など各種の音を含む。
【００３４】
スタンド１１は、有蓋無底の（天板は有るが底は無い）円筒状の全体形状を有し飲料缶５に被せて嵌合させることが可能な外部筐体２１と、この外部筐体２１の内部に収容可能な円筒状の内部筐体３１とを備える。外部筐体２１は、円盤状の天板部２１ａと筒状の周壁部２１ｂとを有し、底面は内部筐体３１を受け入れるとともに、飲料缶５の上縁部を挿入することが出来る開口２１ｃとしてあり、この開口２１ｃの周縁部に沿って周壁部２１の内面側下端部に一定の間隔で突起部（係止突起）２２を形成してある。これらの係止突起２２は、飲料缶５の上縁部に形成されている凹溝６に嵌り込んで当該スタンド１１を飲料缶５に支持させることを可能とする。
【００３５】
一方、天板部２１ａの上面には携帯電子機器５を挟み込むことを可能とする挟持溝２３を形成する。この挟持溝２３は、対象とする携帯電子機器１の厚さ寸法に対応した溝幅を有する。また、後に述べるようにスタンド１１の中央部には電池３６を収容することから、これと干渉しないように当該挟持溝２３は天板部２１ａの中央から前方にずらして配置してある。
【００３６】
さらに挟持溝２３の長さ方向の中央部には、スタンド１１が備える充電装置（機能モジュール３３に含まれる給電回路）と携帯電子機器１とを接続するケーブルコネクタ４１のプラグ４２（携帯電子機器１の差込口２に差し込むプラグ）が起立状態で天板部２１ａを貫通することを許容するプラグ孔２５を形成してある。
【００３７】
挟持溝２３の底には、当該挟持溝２３の長さ方向に延びてケーブルコネクタ４１のケーブル４３を収容可能なケーブル溝２４をさらに形成してある。このケーブル溝２４は、図１０〜図１１に示すようにプラグ４２とともにケーブル４３を引き出して図１に示すように携帯電子機器１を横にした状態（「横位置」と言う）で飲料缶５に支持させて携帯電子機器１の差込口２にプラグ４２を差し込んだときに、スタンド１１内から引き出したケーブル４３が挟持溝２３内で邪魔になることを防ぐもので、当該挟持溝２３の全長に亘って延びるように形成する。このケーブル溝２４により、スタンド１１内から左右いずれへもケーブルコネクタ４１を引き出して挟持溝２３に支持させた携帯電子機器１に接続することが可能となる。なお、本実施形態における当該ケーブルコネクタ４１は、少なくとも充電、データ伝送および外部スピーカへの信号出力を可能とする多機能コネクタである。
【００３８】
また、上記挟持溝２３の内側（特に溝２３の内面側壁）には、ラバー材などの弾力性と滑り止めの機能を有する弾性部材（図示せず）を配置しておいても良く、このような態様によれば、携帯電子機器１をより確実に支持するとともに、厚さの違いを吸収することが可能となり、肉厚寸法の異なる各種の携帯電子機器１や、カバーを装着している機器１に対してもこれらを挟持溝２３内に柔軟に受け入れて支持することが出来る。
【００３９】
内部筐体３１は、円盤状の天板部３１ａと、同じく円盤状の底板部３１ｃと、円筒状の周壁部３１ｂとを備えており、前記外部筐体２１の係止突起２２を使用して飲料缶５にスタンド１１を装着したときに当該飲料缶５の天面に内部筐体３１の底板部３１ｃが当接するようになっている。また、底板部３１ｃは、例えば内部に収容した乾電池３６の交換を可能とするため、開閉可能に構成しても良い。さらに、天板部３１ａには、前記プラグ４２を収容するポケット状のプラグ収容部３２を形成し、このプラグ収容部３２にケーブルコネクタ４１のプラグ４２を収容してある。
【００４０】
プラグ収容部３２は、上面は開放されて（開口となって）おり、これにより、収容したプラグ４２を当該内部筐体３１から（さらに前記外部筐体２１のプラグ孔２５を通じて）引き出すことが可能である。また、プラグ収容部３２の底は、図２に示すように携帯電子機器１を縦にした状態（「縦位置」と言う）で飲料缶５に支持させ、同時にプラグ４２を当該携帯電子機器１のプラグ差込口２に挿入するときに当該プラグ４２を支持する一方で、前述のように横位置（図１）で携帯電子機器１を使用するときにケーブル４３の引き出しを可能とする貫通孔（図１０〜図１１参照）を備えてある。なお、本実施形態では、プラグ４２（ケーブルコネクタ４１）を引き出すことが出来るようにしたが、プラグ４２が天板部に３１ａに固定された構造としても良い。
【００４１】
内部筐体３１の内部には、電池３６を収容可能な電池収容部３８と、携帯電子機器１に充電を行うとともに携帯電子機器１から出力されるオーディオ信号を受けてスピーカ３５から音を出力させる機能モジュール３３と、振動スピーカ３５と、携帯電子機器１への給電が行われているときに点灯するＬＥＤランプ３４とを備える。なお、前記外部筐体２１および内部筐体３１は透明又は半透明の例えば樹脂材料により構成してあり、したがって充電を行っているときには点灯している当該ＬＥＤランプ３４が外から見えるようになっている。
【００４２】
電池収納部３８は、内部筐体３１の（従ってスタンド１１の）略中央を横断するように設置し、電池３６と電気的に接続する端子３７を備え、内部に電池３６を装填してある。電池収容部３８には、本実施形態の場合には単三型の乾電池３６を２本備えたが、使用する電池は特に限定されない。
【００４３】
例えば、本発明で使用する電池は、典型的には、本実施形態のように単三型又は単四型などのマンガン電池又はアルカリ電池であるが、その他の一次電池（例えばリチウム電池アルカリ電池、水銀電池、ボタン型電池など）であっても良いし、例えばリチウムイオン電池やニッケル‐水素電池、ニッケル‐カドミウム電池などのような充電可能な二次電池であっても良い。大きさは単三型および単四型以外であっても構わない。内蔵する本数は、例えば１本又は３本以上でも良い。
【００４４】
機能モジュール３３は、充電を行うための給電回路を含むが、この給電回路の具体的な回路構成は、携帯電子機器１に充電を行える限り特に問わない。当該給電回路は、例えば昇圧回路、電流逆流防止回路、電流制御回路、電圧制御回路などを含むことが出来るが（後に述べる第１給電回路および第２給電回路についても同様）、要は、電池３６の電力をケーブルコネクタ４１を通じて携帯電子機器１に供給可能なものであれば如何なるものであっても良い。また、電池３６（端子３７）と機能モジュール３３と間、あるいは、機能モジュール３３とプラグ４２との間などを電気的に接続する配線は図には示していない。当該配線は内部筐体３１内で適宜引き回せば良い。
【００４５】
また、当該機能モジュール３３は、上記給電回路のほかに、ケーブルコネクタ４１を通じて携帯電子機器１から伝送されるオーディオ信号を受け、この信号に基づいて振動スピーカ３５から音声（音楽や声等）及び振動を出力するオーディオ回路を備えている。振動スピーカ３５は電池収納部３８を挟んで当該電池収納部３８の前側と後側にそれぞれ設置してあり、これら２つのスピーカ３５によってステレオ出力が可能である。
【００４６】
例えば中身を飲み終わった空き缶５にスタンド１１を嵌めて携帯電子機器１を装着してこれら振動スピーカ３５から音と振動を出力させると、空き缶５はプルトップ７（図３参照）が開放され缶内が空洞になっているから、音と振動が缶内に伝わって共鳴し、良好な音を楽しむことが出来る。また、缶５を手で持つと手にブルブルと振動が伝わり、例えば映画や音楽動画を携帯電子機器で鑑賞する場合に、当該携帯電子機器１を単に手で持って鑑賞した場合と異なる独特の臨場感を楽しむことが出来る。
【００４７】
このように本実施形態のスタンド１１によれば、従来であれば飲み終わった後に単に捨てられていた空き缶５を有効に活用することが可能となる。また、飲料缶（開缶する前でも飲み終わった後でも良い）５を立て、これにスタンド１１を使用して携帯電子機器１を装着することで、当該携帯電子機器１によってテレビ電話通話や動画撮影、写真撮影などを行うときに当該飲料缶５を三脚（スタンド）代わりにすることも可能となる。
【００４８】
内部筐体３１内の前部には、ケーブルコネクタ４１のケーブル４３を収容してある。このケーブル４３は、前記機能モジュール３３に接続されるが、当該機能モジュール３３と前記プラグ収容部３２（当該プラグ収納部３２内に収容したプラグ４２）を繋ぐ長さより長い。この余分なケーブル部分は、内部筐体３１内の前部（プラグ収納部３２の周り乃至下部）に蛇行するように収めてあり、当該ケーブル部分は、プラグ４２をスタンド１１から引き出して例えば横位置（図１）で携帯電子機器１を使用するときに携帯電子機器１の差込口２までプラグ４２が届くようにするものである。
【００４９】
本実施形態では、機能モジュール３３として、給電（充電）回路とスピーカ出力回路（オーディオ回路）とを備えたものとしたが、これらのうちいずれか一方又は双方に加えて又は代えて他の機能を備えることも可能である。当該機能モジュールとしては、例えば、無線ＬＡＮ、特に、いわゆる使い捨てＷｉｆｉ（Wireless fidelity）などの通信モジュール類や、ＩＣカードやＳＤカードに対する情報の読み書きを行うリーダライタ類、あるいは、ＨＤＭＩ−ＤＶＩ変換アダプタやスマートフォンとＨＤＴＶとを接続するアダプタなどのアダプタ類などとすることが出来る。そして、これらの機能モジュールと、挟持溝２３に支持する携帯電子機器１とをケーブルコネクタ４１で接続するようにすれば良い。
【００５０】
また、本実施形態のスタンド１１は単一の（１本の）飲料缶５に装着するものとしたが、例えば２本又は３本以上の缶に対して装着可能なスタンドを構成することも可能である。例えば２本の飲料缶に装着可能なものとしては、図１２〜図１３に示すように当該スタンド（外部筐体と内部筐体）の平面形状を陸上トラックのような楕円（長円）形状にして、２本の飲料缶５を立てた状態で横に並べたときにこれらを束ねるように２本の飲料缶５に装着できるものとすれば良い。なお、当該図１２〜図１３では、外部筐体２１と挟持溝２３と係止突起２２以外の構成は図示を省略している。
【００５１】
〔第２実施形態〕
図１４から図２３に示すように、本発明の第２の実施形態に係るスタンド１１は、前記第１実施形態のスタンド１１と同様に、飲料缶５の上面部への装着、および、スマートフォンなどの携帯電子機器１の支持が可能で、当該携帯電子機器１に関連した機能を備えるものであるが、以下に説明するように、携帯電子機器１の支持構造（機器支持部）、関連機能（携帯電子機器１に関連した機能）、ならびに飲料缶５への嵌合構造（容器係合部（「缶係合部」と言うこともある））が異なる。
【００５２】
まず、機器支持部は、前記第１実施形態では挟持溝２３としたが、本実施形態では、外部筐体天板部２１ａの前端位置に形成したテーブル（台地）状の前支持部６２と、外部筐体天板部２１ａの中央部に設置した後支持部６３とからなる。これら前支持部６２と後支持部６３とは、互いに平行に左右方向に延びる内側面が備えられるように形成してあり、各内側面（前支持部６２の後面と後支持部６３の前面）が互いに対向し、これにより両支持部６２，６３間に前記第１実施形態の挟持溝２３と同様の溝が形成される。
【００５３】
そして、携帯電子機器１を両支持部６２，６３の間に挿入すると、前支持部６２が当該機器１の前面側に当接し、後支持部６３が当該機器１の後面側に当接して、機器１がスタンド（外部筐体２１）の天板部２１ａに支持される。また、前記挟持溝２３による構造と同様に両支持部６２，６３の間にはコネクタ４１のプラグ４２が備えられており、両支持部６２，６３の間に機器１を挟み込むとプラグ４２が機器１のプラグ差込口２に差し込まれて接続が行われる。
【００５４】
後支持部６３は、その底面に下方へ突出する一対の脚部を備えており、これらの脚部を、外部筐体天板部２１ａの上面に穿設してある穴６４に差し込むことにより外部筐体２１の天板部２１ａに取り付けることが可能となっている。また、天板部２１ａの当該穴６４は、前後方向に配列するように複数組設けてあり、これにより後支持部６３の取付位置を前後方向について変更可能となっている。これにより様々な厚さの機器１を支持させることが可能である。なお、本実施形態では取付穴６４を配列形成することで後支持部６３を位置変更可能としたが、例えば、後支持部６３を前後にスライド可能に（前後方向に摺動可能に）スタンド６１に備えても同様の目的を達成することは可能である。
【００５５】
また、後支持部６３を背もたれのように使用して（機器１の背面が後支持部６３にあたるように機器１を後支持部６３に立て掛け、機器１が後支持部６３にもたれかかるようにして）機器１を斜めに支持させることも出来る。この場合、後支持部６３の取付位置（前後方向の位置）を変えることで、機器１の傾斜度合を調整することが出来るから、機器１を斜めして画面を見やすくしたり、各ユーザの好みに合った使いやすい角度で機器１のタッチパネルを操作したり画像を鑑賞することが可能となる。尚この場合、プラグ４２の接続は、例えば前記図１のようにプラグ４２を引き出して機器１に接続すれば良い。
【００５６】
前記関連機能としては、本実施形態では、スタンド６１に支持した携帯電子機器１に無線通信（特に衛星通信）を行うことを可能とする。このため、本実施形態のスタンド６１には、衛星通信モジュール７０と衛星通信用のアンテナ７１，７２，７３を備える。衛星通信モジュール７０は、内部筐体３１の中に収容し、コネクタ４１を介して機器１と電気的な接続を行う。
【００５７】
一方、アンテナ７１〜７３は、符号７１で示すように外部筐体２１の天板部２１ａの中に格納したり、符号７２〜７３で示すようにスタンド６１の外面（外部筐体２１の周壁部２１ｂの表面）に取り付けても良い。また、前支持部６２や後支持部６３の内部にアンテナを内蔵させることも可能である。
【００５８】
さらに、外部筐体周壁部２１ｂに取付可能としたアンテナ７２，７３は、それぞれスタンド６１に固定するためのアンテナ取付部７２ａ，７３ａと、アンテナを内蔵したアンテナ本体部７２ｂ，７３ｂとからなり、アンテナ本体部７２ｂ，７３ｂは回転支軸を介してアンテナ取付部７２ａ，７３ａにそれぞれ回転可能に設置してある。したがって、図１７に示すようにアンテナ本体部７２ｂ，７３ｂを自由に回転させることが可能である。これにより衛星や無線中継器からの電波を良好に受信できるように調整することが出来る。
【００５９】
なお、アンテナ取付部７２ａ，７３ａは、前記後支持部６３と同様に脚部を備えており、外部筐体周壁部２１ｂの外面に穿設したアンテナ取付穴８７に当該脚部を差し込むことにより外部筐体周壁部２１ｂの表面に設置することが出来る。また、アンテナ本体部７２ｂ，７３ｂ内のアンテナと衛星通信モジュール７０との電気的接続は、アンテナ本体部７２ｂ，７３ｂの上記回転軸部およびアンテナ取付部７２ａ，７３ａの上記脚部を通じて（これらの軸内・脚内に配線や接点を設けて）行えば良い。また本実施形態では、複数のアンテナ７１〜７３を備えるから、いずれかのアンテナが電波を拾うことで良好な通信状態を確保することが出来る。
【００６０】
さらに、外部筐体２１の外面には、周壁部２１ｂの表面から外方へ張り出す支持脚８１を備えても良い。この支持脚８１は、スタンド６１を飲料缶５から外して単独で（例えばスタンド６１を机の上に置いて）使用する場合に、支持させた携帯電子機器１ごとスタンド６１が転倒することを防ぐ機能を果たすものである。この支持脚８１は、前記後支持部６３やアンテナ７２，７３と同様に、脚部を備えており、外部筐体表面に穿設した取付穴８７に当該脚部を差し込むことにより外部筐体２１に取り付けることが出来る。なお、外部筐体２１の外面に取り付ける当該支持脚８１や前記アンテナ７２，７３は、図１８〜図２０，図２３等では図示していない。また、上記支持脚８１は、図３１に示すように複数、例えば前側と後側の両方（或いは前後左右など四方、八方）などに取り付けられるようにすることも出来る。
【００６１】
特に、図３１に示す例は、前支持部６２を外部筐体天板部２１ａの前端部だけでなく、後端部にも形成し、前側の前支持部６２と後支持部６３との間、ならびに、後側の前支持部６２と後支持部６３との間の双方に携帯電子機器１を支持させることを可能としたものである。このような構造によれば、携帯電子機器１を２台背中合わせにスタンド６１に支持することが出来る。さらに、図３２は、後支持部６３に関する別の構成例を示すもので、この例ではキャラクタを模った形状を有する後支持部８３とした。
【００６２】
さらに、図２９はスタンド６１の内部筐体３１に飲料缶５に電気的に接続する接点端子８８を備えた構成例である。当該接点端子８８は、内部筐体３１の底板部３１ｃに備えてあり、スタンド６１を飲料缶５に装着したときに当該飲料缶５の上縁又は上面又は飲料缶５側に備えた端子等に当接して当該飲料缶５との間に電気的な接続を確保するものである。この接点端子８８を無線通信モジュール７０と接続しておくことにより、飲料缶自体あるいは飲料缶５に別途備えたアンテナを当該無線通信のアンテナとして利用することが可能となる。
【００６３】
また図３０は、磁気カードリーダ８５を備えた構成例を示すものである。この例では、スタンド内に磁気カードリーダ８５を備えるとともに、スタンド（例えば外部筐体２１の天板部２１ａ）にカードを差し込むスリット８６を形成しておく。これにより、磁気カードリーダを備えたスタンドを構成することが出来る。なお、磁気カードリーダ８５はコネクタ４１（図３０では図示せず）を介して携帯電子機器１に接続するようにすれば良い。
【００６４】
飲料缶５への嵌合構造（缶係合部）としては、本実施形態では、飲料缶上端部の凹溝６に入り込むようにその先端が缶外面に当接する係止フランジ９１を備える。この係止フランジ９１は、外部筐体周壁部２１ｂの内面下端からスタンドの中心向け斜め上方に突出するように外部筐体２１と一体に形成してあり、先端（内方）へ向かうにつれて肉薄に、すなわち、先端が尖った形状としてある（図２１〜図２２参照）。
【００６５】
このような構造とすれば、飲料缶５への装着を容易にすることが出来るとともに、装着したスタンド６１が飲料缶５から不用意に外れることを防ぐことが出来る。特に、自動販売機を使用して缶飲料を提供する場合、商品搬出（販売）時に缶５に衝撃が加わるが、このような場合にもスタンド６１が外れるアクシデントを回避することが出来る。
【００６６】
また、上記係止フランジ９１は、外部筐体２１の下端全周に亘って連続するように形成したが（図２３参照）、図２４に示すように適宜の隙間を空けて断続的（断片的）に備えた係止フランジ９１ａとしても良い。このような断片的な係止フランジ９１ａ構造とすれば、スタンドの装着が容易となる利点がある。また、図２５や図２６に示すようにスタンドの中心に向け曲線状（弧状）に突出するように係止フランジ９１ｂを形成しても良い。
【００６７】
さらに缶係合部としては、図２７〜図２８に示すように、外部筐体下端に形成した係止フランジ９１とこれより上方位置の外部筐体周壁部内面に形成した係止突起９２とにより缶５の上縁部（缶蓋部分）を挟むような係合構造としても良い。
【００６８】
また、図３３〜図３５は衛星通信用アンテナの別の構成例を示すものである。この例では、衛星通信用のアンテナとして、棒状の主アンテナ７４と、円形状の補助アンテナ７５とを備えた。図３３〜図３４に示すように主アンテナ７４は、外部筐体２１の天板部上面に設けた螺子穴７６にアンテナ取付螺子部７４ａをねじ込むことにより取り付ける。一方、補助アンテナ７５は、前記アンテナ７１と同様に、外部筐体２１の天板部に内蔵してある。またこの例では、図３５に示すように主アンテナ７４が後支持部を兼ねるように、すなわち、外部筐体２１の天板部から上方に立ち上がるように取り付けられる主アンテナ７４が携帯電子機器１の背面側を支えるようにすることも可能であり、このような構造によれば後支持部６３は不要となる。
【００６９】
また図３３〜図３５に示したように、例えば外部筐体２１の天板部上面にコンパス８０を備えても良い。このような構成によれば、特に衛星通信機能を付与する場合（例えば赤道上に衛星がある場合など、通信方式によってはアンテナを特定の方位に向ける必要がある場合）に方位を容易に確認することができ、利便性を高めることが出来る。
【００７０】
近年、イリジウム衛星携帯電話サービスやインマルサット（Inmarsat）衛星通信サービス、スラーヤ（Thuraya）衛星携帯電話サービスなどの人工衛星を利用した衛星通信サービスが提供されており、これらの通信を可能とする通信モジュールやアンテナが販売されている。本実施形態によれば、このような衛星通信を可能とする衛星通信モジュールと衛星アンテナとをスタンドに備えることが出来るから、本実施形態のスタンドを介することで携帯電子機器１にこのような衛星通信を付与することが可能となる。
【００７１】
以上、本発明の第１〜第２の実施形態並びにそれらの変形例について説明したが、これらの実施形態や各実施形態の変形例として示した各特徴、例えば、缶係合部や機器支持部（挟持溝２３、前支持部６２および後支持部６３，８３等）、関連機能（機能装置）各種（充電機能、Ｗｉｆｉ・無線ＬＡＮ・衛星通信などの無線通信機能、リーダライタ類など）、外付アンテナ７２〜７４・内蔵アンテナ７１，７５のようなアンテナ類、スタンドの支持脚８１などは、前記実施形態で示した組み合わせ以外にも、任意に組み合わせて本発明に係るスタンドを構成することが出来ることは当業者に明らかである。
【００７２】
また、図３６に符号１１０で示すように、例えばＵＳＢやＨＤＭＩ（High-Definition Multimedia Interface）、ＳＤカード、マイクロＵＳＢなどの他の電子機器を接続するためのプラグ差込孔をスタンドに備えても良い。また、衛星通信を可能とする態様について前に述べたが、当該衛星通信用のアンテナの形状は、図３７に符号１１１で示すような半球状、或いはそれ以外の形状の場合もある。
【００７３】
さらに、図３８〜図３９は、本発明に係るスタンドに無線接続のカードリーダライタを備えたものである。具体的には、図３８の例では、前記図３０に示した例と同様に磁気カードリーダ８５と磁気カード用スリット８６とを備えているが、当該カードリーダ８５と、携帯電子機器１との無線通信を可能とする無線通信モジュール１２１とを備えている。カードリーダ８５によって読み取った情報は、当該無線通信モジュール１２１を介して例えばスタンドに支持した携帯電子機器１に送信可能である。また、図３９の例は、ＩＣカード１２２と携帯電子機器１とを無線接続することを可能とするもので、ＩＣカードリーダ１２３と、携帯電子機器１と無線通信を行う無線通信モジュール１２１とを備えている。
【００７４】
本発明のスタンドは、必ずしも飲料缶（飲料用の包装容器）に装着するスタンドに限られるものではなく、様々な商品のパッケージ（包装容器）に装着可能なスタンドとして構成することが出来ることは既に述べたとおりである。図４０〜図４１はそのような態様を示すもので、この例では、Ｔシャツを収容し包装する円筒状の樹脂ケース１１５に前記各実施形態のスタンドと同様の構造を有するキャップ部１１ａを装着したスタンドである。キャップ部１１の樹脂ケース（包装容器）１１５との係合部は、例えばケース１１５の上端部がキャップ部１１の下面に嵌り込むようにしたり、ねじ込み式にしたり、あるいは粘着材によりケース１１５の上端部にキャップ部１１を固定できるようにするなど特に問わない。
【００７５】
また、この例では、樹脂ケース１１５の下端部に装着可能なスピーカシステムを備えた。このスピーカシステムは、スピーカユニット１３１と、オーディオ回路（図示せず）と、携帯電子機器１と無線通信を可能とする無線通信部（例えばブルートゥース（Bluetooth）（登録商標）に基づく通信モジュール）１３２とを備えており、キャップ部１１の上面に支持させた携帯電子機器１から送信されるオーディオ信号を無線通信部１３２が受信することにより、オーディオ回路がスピーカユニット１３１から音を生じさせ、樹脂ケース１１５が外付スピーカとして機能する。
【００７６】
また、上記スピーカシステムは、その筐体として、中空の筒状部１１６と、筒状部１１６の上面を覆う仕切板１３５と、筒状部１１６の下面に水平に張り出すように設置したフランジ部１１７とからなる。フランジ部１１７は、図４０に示すように樹脂ケース１１５を立て置いたときに転倒を防ぐ機能を果たす。仕切板１３５は、スピーカ用の２つの貫通孔（それぞれステレオの右用と左用）１３６と、空気孔１３７とを有する。スピーカユニット１３１は下向きに設置し、２つの貫通孔１３６を通じて筒状部１１６内に音が送られるようにしてある。このような態様によれば、樹脂ケース１１５がスピーカユニット１３１の背面側を覆い、オーディオセットなどに組み込まれる既存のスピーカシステムにおけるエンクロージャー（スピーカユニットを取り付ける筐体）の役割を樹脂ケース１１５が果たすこととなるから、良質の音が得られる。
【００７７】
なお、上記実施形態では、スピーカを下向きに備えたが、これとは逆に上向に備えても良い。この場合、樹脂ケースの外部に音が放出されるように、樹脂ケースの上部適宜位置に孔を設けることが好ましい。
【００７８】
実施形態および図面においてはスタンドを、略円柱状の全体形状ないし円形の平面形状を有するものとしたが、本発明においてスタンドの形状は、必ずしも円形の平面形状を有する必要はない。図４２はその一例を示すものであるが、本発明に係るスタンド１１は、図４２に示すような方形、或いは他の形状、例えば三角形や多角形（六角形や八角形など）の平面形状、球体状の全体形状、その他様々な形状を有していても構わない。
【００７９】
〔第３実施形態〕
図４３〜図４７は本発明の第３の実施形態に係るスタンドを示すものである。この実施形態のスタンドは、スタンドに支持した携帯電子機器１に対して外部入力手段（外付けの入力手段）を提供するものである。このため、指操作により入力を行うことを可能とするタッチスイッチ（タッチセンサ）２５１，２５２，２５３をスタンドの外面に備えた。タッチスイッチ２５１〜２５３は、この例では図４３〜図４７に示すように、スタンド周壁部の前面側に２つ並ぶように備えるとともに、スタンド周壁部の後面側に１つ備えた。
【００８０】
またスタンド内には、タッチスイッチ２５１〜２５３を制御する制御部２５４と、携帯電子機器１との通信を可能とする無線通信部（例えばブルートゥース（Bluetooth）（登録商標）に基づく通信モジュール）２５５を備えており、この無線通信部２５５を介して携帯電子機器１に対する無線スイッチ操作を可能とした。
【００８１】
前面側の２つのスイッチ２５１，２５２、即ち左側のスイッチ２５１と右側のスイッチ２５２は、それぞれ左親指用と右指用のもので、スタンドに携帯電子機器１を支持させるとともに、スタンドを両手で包み込むように把持することで、左指と右指でそれぞれスイッチ２５１，２５２を操作することが出来る。またこのとき、人差指や中指で後面側のスイッチ２５３に触れてこれを操作することが出来る。
【００８２】
各スイッチ２５１〜２５３に割り当てられる機能は様々なものとすることができ、特に限定されない。例えば、左側のスイッチ２５１と右側のスイッチ２５２と背面側のスイッチ２５３とにそれぞれ異なる機能を割り当てるようにしても良いし、背面側のスイッチ２５３に触れているときだけ前面側のスイッチ２５１，２５２を操作することが出来るようにするなど、様々なものであって良い。
【００８３】
スイッチ２５１〜２５３の操作対象についても、ＴＶリモコンとして、或いはボリュームやチャンネル、選曲など、携帯電子機器１の操作に関連した各種の操作を行えるようにすることが出来る。スイッチ２５１〜２５３の種類・構造は、例えば静電容量の変化を検出する静電容量方式のタッチスイッチを用いることが出来るが、他の方式のタッチスイッチでも良いし、機械的なスイッチ（例えば押しボタン等）を使用することも可能である。また、当該スイッチの配置位置や配置数は、図示の例に限定されず、他の様々なものとすることが可能である。
【００８４】
〔第４実施形態〕
図４８は本発明の第４の実施形態に係るスタンドを示すものである。この実施形態に係るスタンドは、前記図３２に示した例と同様にキャラクタを模った形状を有する後支持部８３を備えたものであるが、このキャラクタ型の後支持部８３の内部に、無線ＬＡＮ（例えばＷｉｆｉ（Wireless fidelity））接続を可能とするアンテナ５０１を内蔵させた。また、スタンド内には、当該無線ＬＡＮ通信を行うための通信モジュール５０２を備える。
【００８５】
なお、キャラクタ８３は必ずしも後支持部を兼ねる必要はなく、前記第２実施形態（図１４）のように後支持部６３を設けた上で、キャラクタ８３を別に備えても良い。また、本実施形態の変形例として、当該スタンドを無線ＬＡＮ（例えばＷｉｆｉ）の中継器とすることも可能である。この場合、スタンド内に内蔵する前記通信モジュール５０２を無線ＬＡＮ（例えばＷｉｆｉ）用の中継器とし、キャラクタ８３に内蔵する前記アンテナ５０１を当該中継器用のアンテナとすれば良い。
【００８６】
〔第５実施形態〕
図４９〜図５４に基づいて本発明の第５の実施形態を説明する。この実施形態に係るスタンドは、本発明に係る前記スタンドと同様に商品包装容器に装着可能なキャップ型のスタンドであるが、これに様々な情報を掲載したものである。この「情報」としては、例えばキャンペーンに関連した情報とするが、当該スタンドを装着する包装容器に係る商品に関する情報であったり、あるいは当該商品と関係のない他の様々な情報とすることも可能である。
【００８７】
また本実施形態のスタンドでは、商品包装容器に装着することを可能とする容器係合部（図示は省略）と、携帯電子機器を支持する機器支持部（図示は省略）とを備えるが、機器支持部を備えないことも可能である。さらに、本実施形態のスタンドには、本発明に言う各種の機能装置を備えていても良い。また、前記第１〜第４の実施形態やそれらの変形例に係る特徴を適宜組み合わせたスタンドを構成することも可能である。
【００８８】
図４９〜図５４に示すように第５実施形態に係るスタンドは、外部筐体２１の上面（図４９）、内部筐体３１の上面（図５０）、外部筐体２１の側面（図５１）または内部筐体３１の側面（図５２）に、キャンペーンを告知するキャンペーン関連情報を記載したキャンペーンラベル３０１を備えた。なお、少なくとも内部筐体３１にラベル３０１を備える場合（図５０及び図５２）には、外からラベル３０１を見ることが出来るように外部筐体２１を透光性を有するもの（透明または半透明）とする。また、上述のように容器係合部と機器支持部は図示を省略しているが、機器支持部を天板部に備え且つ図４９ないし図５０の構成を採用する場合には、当該機器支持部を避けるようにラベル３０１を備えれば良い。
【００８９】
キャンペーンラベル３０１は、図５３に示すように、キャンペーン関連情報（キャンペーンを告知する情報やキャンペーンに応募することを可能とする画像等）を掲載したキャンペーンラベルシート３２０と、無線ＩＣタグ３１２とアンテナ３１３とを配置した無線タグシート３１１とを貼り合わせてなる。また、図５４に示すように、無線ＩＣタグ３１２とアンテナ３１３とを配置した無線タグシート３１１の裏面にキャンペーン関連情報を印刷し、当該裏面が表になるように（無線ＩＣタグ３１２やアンテナ３１３がスタンド（外部筐体２１又は内部筐体３１）の表面に当接するように）、スタンド（外部筐体２１又は内部筐体３１）にラベル３０１を貼り付けても良い。
【００９０】
缶飲料を購入した需要者は、スタンドに備えたラベル３０１を携帯電子機器（例えばスマートフォン）１で撮影する。携帯電子機器１には、画像照合アプリケーションソフトウエア（画像照合を行うコンピュータソフトウエア／以下単に「画像照合ソフト」と言う）を予めインストールしてあり、このソフトウエアがラベル３０１の撮影画像を正当なものであるか認証する。正当なものであると認識された場合には、キャンペーンに応募することが出来る。なお、このとき、携帯電子機器１の画面にキャンペーンを告知する動画や静止画などを表示させるようにしても良い。また、上記認証は、本実施形態では画像照合によって行うこととしたが、ＯＣＲ（Optical Character Recognition）のような文字認証により行うようにしても良い。キャンペーン内容は特に問わず、例えば、景品（物品や特定のサービス）を当該商品の購入者（全員又は当選者のみ）に提供するものとする。
【００９１】
キャンペーンラベル３０１は、上記のような表示（印刷画像）だけでも良いが、本実施形態のラベル３０１は、前述のように無線タグ３１２を備えている。この無線タグ３１２には、例えば一定の割合（確率）で当選情報を含めておくことが出来る。このような態様によれば、飲料を購入した顧客が、自動販売機に備えられているＩＣカードリーダに当該ラベル３０１（無線タグ３１２）をかざすと、自動販売機は、当該無線タグ３１２に格納された当選情報に基づいて景品（例えば当該自動販売機に格納された飲料や様々な他の景品）を商品取出口に搬出し当該顧客に提供する。このとき、本実施形態によれば、無線タグ３１２と飲料缶との間に一定の空間（物品収容部）が形成されており、無線タグ３１２が飲料缶の上面から浮いた状態となっているから、自動販売機のカードリーダが飲料缶（金属）に邪魔されずに良好に無線タグ３１２にアクセスする（無線タグ３１２から情報を読み取る）ことが出来る利点がある。
【００９２】
また、ラベル３０１ではなく、前記図３２や図４８に示したようなキャラクタ８３をスタンドに備えてこれに上記無線ＩＣタグ３１２とアンテナ３１３を内蔵させても良い。なお、この場合には、前述のようにキャラクタ８３を後支持部６３として兼用させても良いし、後支持部とは無関係にキャラクタ８３を備え、後支持部６３は別に設けても良い。
【符号の説明】
【００９３】
１  携帯電子機器
２  プラグ差込口
５  飲料缶
６  飲料缶上端部の凹溝
７  プルトップ（飲み口）
１０  缶係合部
１１  携帯電子機器用スタンド（又はキャップ部）
２１  外部筐体
２１ａ  外部筐体の天板部
２１ｂ  外部筐体の周壁部
２１ｃ  外部筐体の下面開口
２２，９２  係止突起
２３  挟持溝
２４  ケーブル溝
２５  プラグ孔
３１  内部筐体
３１ａ  内部筐体の天板部
３１ｂ  内部筐体の周壁部
３１ｃ  内部筐体の底板部
３２  プラグ収容部
３３  機能モジュール
３４  ＬＥＤランプ
３５  振動スピーカ
３６  電池
３７  電池用端子
３８  電池収容部
４１  ケーブルコネクタ
４２  プラグ
４３  ケーブル
５１  携帯電子機器と接続可能な充電端子（充電プラグ）
６２  前支持部
６３  後支持部
６４  後支持部用取付穴（後支持部を取り付けるための穴）
７０  衛星通信モジュール
７１，７２，７３，７４，７５，１１１，５０１  アンテナ
７２ａ，７３ａ  アンテナ取付部
７２ｂ，７３ｂ  アンテナ本体部
７４  主アンテナ
７４ａ  アンテナ取付螺子部
７５  補助アンテナ
７６  アンテナ取付用螺子穴
８０  コンパス
８１  支持脚
８３  キャラクタを模った後支持部
８５  磁気カードリーダ
８６  磁気カード用スリット
８７  支持脚又はアンテナ取付用の穴
８８  飲料缶への電気的接続のための接点端子
９１  係止フランジ
１１０  プラグ差込孔
１１５  樹脂ケース（商品包装容器）
１１６  筒状部
１１７  フランジ部
１２２  ＩＣカード
１２３  ＩＣカードリーダ
１３１  スピーカユニット
１２１，１３２，２５５，５０２  無線通信部（無線通信モジュール）
１３５  仕切板
１３６  スピーカ用貫通孔
１３７  空気孔
２５１，２５２，２５３  タッチスイッチ
２５４  タッチスイッチ制御部
３０１  キャンペーンラベル
３１１  無線タグシート
３１２  無線ＩＣタグ
３１３  無線ＩＣタグ用アンテナ
３２０  キャンペーンラベルシート
【図１】
2014209704.tif 000003
【図２】
2014209704.tif 000004
【図３】
2014209704.tif 000005
【図４】
2014209704.tif 000006
【図５】
2014209704.tif 000007
【図６】
2014209704.tif 000008
【図７】
2014209704.tif 000009
【図８】
2014209704.tif 000010
【図９】
2014209704.tif 000011
【図１０】
2014209704.tif 000012
【図１１】
2014209704.tif 000013
【図１２】
2014209704.tif 000014
【図１３】
2014209704.tif 000015
【図１４】
2014209704.tif 000016
【図１５】
2014209704.tif 000017
【図１６】
2014209704.tif 000018
【図１７】
2014209704.tif 000019
【図１８】
2014209704.tif 000020
【図１９】
2014209704.tif 000021
【図２０】
2014209704.tif 000022
【図２１】
2014209704.tif 000023
【図２２】
2014209704.tif 000024
【図２３】
2014209704.tif 000025
【図２４】
2014209704.tif 000026
【図２５】
2014209704.tif 000027
【図２６】
2014209704.tif 000028
【図２７】
2014209704.tif 000029
【図２８】
2014209704.tif 000030
【図２９】
2014209704.tif 000031
【図３０】
2014209704.tif 000032
【図３１】
2014209704.tif 000033
【図３２】
2014209704.tif 000034
【図３３】
2014209704.tif 000035
【図３４】
2014209704.tif 000036
【図３５】
2014209704.tif 000037
【図３６】
2014209704.tif 000038
【図３７】
2014209704.tif 000039
【図３８】
2014209704.tif 000040
【図３９】
2014209704.tif 000041
【図４０】
2014209704.tif 000042
【図４１】
2014209704.tif 000043
【図４２】
2014209704.tif 000044
【図４３】
2014209704.tif 000045
【図４４】
2014209704.tif 000046
【図４５】
2014209704.tif 000047
【図４６】
2014209704.tif 000048
【図４７】
2014209704.tif 000049
【図４８】
2014209704.tif 000050
【図４９】
2014209704.tif 000051
【図５０】
2014209704.tif 000052
【図５１】
2014209704.tif 000053
【図５２】
2014209704.tif 000054
【図５３】
2014209704.tif 000055
【図５４】
2014209704.tif 000056